【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
有機イオン液体をハロゲン化インジウム(III)と組み合わせることによって形成される触媒組成物。
【請求項２】
（ａ）有機イオン液体及び（ｂ）ハロゲン化インジウム(III)を混合状態で含む触媒組成物。
【請求項３】
該有機イオン液体と塩化インジウムとの反応に由来するイオン種を含む、請求項１又は２に記載の触媒組成物。
【請求項４】
（ａ）有機イオン液体から誘導されたカチオン種、及び
（ｂ）インジウムを含む少なくとも一つの種
を含む複数のイオン種を含む触媒組成物。
【請求項５】
複数のイオン種を含み、有機イオン液体とインジウム(III)塩を混合することによって得られる、請求項４に記載の触媒組成物。
【請求項６】
ハロゲン化物イオンをさらに含む、請求項４又は５に記載の触媒組成物。
【請求項７】
インジウム(III)塩がハロゲン化インジウム（III）である、請求項５又は６のいずれかに記載の触媒組成物。
【請求項８】
イオン液体が、イミダゾリウム、ピリジニウム、ピリダジニウム、ピラジニウム、オキサゾリウム、トリアゾリウム、ピラゾリウム、ピロリジニウム又はピペリジニウムのハロゲン化物塩を含む、請求項１−７のいずれかに記載の触媒組成物。
【請求項９】
イオン液体が、イミダゾリウム、ピリジニウム、ピリダジニウム、ピラジニウム、オキサゾリウム、トリアゾリウム、ピラゾリウム、ピロリジニウム、ピペリジニウム、テトラアルキルアンモニウム又はテトラアルキルホスホニウム塩を含む、請求項１−８のいずれかに記載の触媒組成物。
【請求項１０】
イオン液体が、ピリジン、ピリダジン、ピリミジン、ピラジン、イミダゾール、ピラゾール、オキサゾール又はトリアゾールのアルキル化又はポリアルキル化化合物のハロゲン化物塩である、請求項１−７のいずれかに記載の触媒組成物。
【請求項１１】
イオン液体が、式：
【化１】
2005503920.tif 000001
［式中、
各Raは、C1〜C40の直鎖若しくは分枝アルキル又はC3〜C8のシクロアルキル基から独立して選ばれ、前記アルキル又はシクロアルキル基は、C1〜C6アルコキシ、C6〜C10アリール、C1〜C30アラルキル及びC1〜C30アルカリールから選ばれる１〜３個の基で置換されていてもよく；
各Rb、Rc、Rd、Re、Rf、Rg及びRhは同じでも異なっていてもよく、Ｈ又は上に定義した任意のRa基からそれぞれ独立して選ばれ；
[A]−は、ハロゲン化物アニオンを示す］の化合物から選ばれる、請求項１−１０のいずれかに記載の触媒組成物。
【請求項１２】
イオン液体が、式：
【化２】
2005503920.tif 000002
［式中、[A]−、Ra、Rb、Rc、Rd、Re及びRgは、請求項１１に定義の通り］の化合物から選ばれる、請求項１−１１のいずれかに記載の触媒組成物。
【請求項１３】
前記イオン液体が、式：
【化３】
2005503920.tif 000003
［式中、Ra、Rg及び[A]−は、請求項１１に定義の通り］の化合物から選ばれる、請求項１−１２のいずれかに記載の触媒組成物。
【請求項１４】
各RaがC1〜 C40の直鎖又は分枝アルキルを表す、請求項１１−１３のいずれかに記載の触媒組成物。
【請求項１５】
各Rg及びRh がC1〜 C40の直鎖又は分枝アルキルを表す、請求項１１−１４のいずれかに記載の触媒組成物。 
【請求項１６】
Rb、Rc、Rd、Re、Rf、Rg及びRhがそれぞれ水素を表す、請求項１１−１４のいずれかに記載の触媒組成物。
【請求項１７】
[A]−がCl−又はBr−を表す、請求項１１−１６のいずれかに記載の触媒組成物。
【請求項１８】
イオン液体が１，３−エチルメチルイミダゾリウムクロリド又は１，３−ブチルメチルイミダゾリウムクロリドから選ばれる、請求項１１−１７のいずれかに記載の触媒組成物。
【請求項１９】
インジウム（III）塩が塩化インジウム（III）である、請求項５−１８のいずれかに記載の触媒組成物。
【請求項２０】
前記請求項のいずれかに定義の有機イオン液体をハロゲン化インジウム（III）と混合することを含む、請求項１−１９のいずれかに記載の触媒組成物の製造法。
【請求項２１】
請求項１−１９のいずれかに記載の組成物を触媒として使用することを含む、ルイス酸で触媒される芳香族基質の求電子置換法。
【請求項２２】
前記ルイス酸で触媒される求電子置換反応が、アルキル置換芳香族化合物を形成するフリーデル−クラフツアルキル化反応、又は、芳香族ケトンを形成するフリーデル−クラフツアシル化反応である、請求項２１に記載の方法。
【請求項２３】
請求項１−１９のいずれかに定義の触媒組成物を芳香族基質及びアルキル化剤又はアシル化剤と混合することを含む、請求項２１又は２２に記載の方法。
【請求項２４】
(i)水非混和性の有機溶媒を場合により加え、生成物を含有する有機溶液を形成させる工程；
(ii)反応混合物に水を加えて触媒組成物を溶解し、触媒組成物を含有する水性抽出物を生成物又は生成物を含有する有機溶液から分離する工程；及び
(iii)生成物から溶媒を除去する工程
を含む手順によって、生成物が反応混合物から単離される、請求項２１−２３のいずれかに記載の方法。
【請求項２５】
該触媒を次の使用のためにリサイクルすることをさらに含む、請求項２１−２４のいずれかに記載の方法。
【請求項２６】
該触媒が水の蒸発によって単離される、請求項２１−２５のいずれかに記載の方法。
【請求項２７】
アルキル化剤がハロゲン化アルキル、オレフィン又はアルコールであるか；又は、アルキル化剤がハロゲン化アルキル置換基、オレフィン置換基又はアルコール置換基であり、
該置換基は、分子内アルキル化反応が起きて縮合環が形成されるよう該芳香族基質の環炭素原子に結合している、請求項２３−２６のいずれかに記載の方法。
【請求項２８】
アルキル化剤が、直鎖若しくは分枝C1〜 C20ハロゲン化アルキル；直鎖若しくは分枝C2〜 C20オレフィン；又は、直鎖若しくは分枝C1〜C20アルコール；あるいは、C3〜C5ハロゲン化アルキル置換基、C4〜C5オレフィン置換基、又はC3〜C5アルコール置換基であり、該置換基は、分子内アルキル化反応が起きて縮合環が形成されるよう該芳香族基質の環炭素原子に結合している、請求項２３−２７のいずれかに記載の方法。
【請求項２９】
アルキル化剤が、C1〜 C20ハロゲン化アルキル又はC3〜C5ハロゲン化アルキル置換基であり、
該置換基は、分子内アルキル化反応が起きて縮合環が形成されるよう該芳香族基質の環炭素原子に結合している、請求項２３−２８のいずれかに記載の方法。
【請求項３０】
ハロゲン化アルキル又はハロゲン化アルキル置換基が、塩化アルキル又は臭化アルキルである、請求項２７−２９のいずれかに記載の方法。
【請求項３１】
アシル化剤が、環状脂肪族酸ハロゲン化物、直鎖若しくは分枝脂肪族酸ハロゲン化物又は芳香族酸ハロゲン化物；カルボン酸；又はカルボン酸無水物から選ばれるか；あるいは
アシル化剤が、直鎖脂肪族酸ハロゲン化物置換基、カルボン酸置換基、又は酸無水物置換基であり、該置換基は、分子内アシル化反応が起きて縮合環が形成されるよう該芳香族基質の環炭素原子に結合している、請求項２３−２６のいずれかに記載の方法。
【請求項３２】
アシル化剤が、C4〜C10環状脂肪族酸ハロゲン化物、C2〜C20直鎖若しくは分枝脂肪族酸ハロゲン化物又はC7〜C20芳香族酸ハロゲン化物；C2〜C20カルボン酸；及びC4〜C20酸無水物から選ばれるか；又は
アシル化剤がC3〜C5 直鎖脂肪族酸ハロゲン化物置換基又はC3〜C5カルボン酸置換基であり、該置換基は、反応が分子内アシル化反応となって縮合環が形成されるよう該芳香族基質の環炭素原子に結合している、請求項３１に記載の方法。
【請求項３３】
アシル化剤が、C2〜C20直鎖若しくは分枝脂肪族酸ハロゲン化物；又はC3〜C5 直鎖脂肪族酸ハロゲン化物置換基であり、該置換基は、反応が分子内アシル化となって縮合環が形成されるよう該芳香族基質の環炭素原子に結合している、請求項３１又は３２に記載の方法。
【請求項３４】
酸ハロゲン化物又は酸ハロゲン化物置換基が酸塩化物又は酸臭化物である、請求項３１−３３のいずれかに記載の方法。
【請求項３５】
アシル化剤が、無水酢酸、無水プロピオン酸、無水イソ酪酸、塩化アセチル、塩化プロパノイル及び塩化ブタノイルから選ばれる、請求項３１−３４のいずれかに記載の方法。
【請求項３６】
塩化インジウム（III）及び１，３−ジアルキル化イミダゾリウムクロリド又は他の有機アニオン種の系が使用される、アシル化剤を用いた芳香族基質のフリーデル−クラフツアシル化によりケトンを形成するための、請求項３１−３５のいずれかに記載の方法。
【請求項３７】
触媒系を反応混合物から水で単純抽出することにより、アルキル化生成物又はアシル化生成物が反応混合物から取り出される、請求項３１−３６のいずれかに記載の方法。
【請求項３８】
インジウムベースの触媒系が、引き続いて水性洗浄液から水を除去することによって再生される、請求項３１−３７のいずれかに記載の方法。
【請求項３９】
反応のための出発材料が、トルエン、アニソール、無水安息香酸、塩化ベンゾイル、無水酢酸及び塩化アセチルの一つ以上を含む、請求項３１−３８のいずれかに記載の方法。
【請求項４０】
イオン液体が、エチルメチルイミダゾリウムクロリド又はブチルメチルイミダゾリウムクロリドから選ばれるイミダゾリウムクロリドである、請求項３１−３９のいずれかに記載されたアシル化法。
【請求項４１】
反応生成物が、熱水又は水酸化ナトリウム水溶液で洗浄することによって溶媒溶液から遊離される、請求項３１−４０のいずれかに記載の方法。
【請求項４２】
フリーデル−クラフツアシル化反応における、塩化インジウム（III）及び１，３−ジアルキル化イミダゾリウムクロリド又は他の有機カチオン種の系の使用。
【手続補正２】
【補正対象書類名】明細書
【補正対象項目名】００６２
【補正方法】変更
【補正の内容】
【００６２】
アルキル化剤は、典型的には、直鎖又は分枝Ｃ１〜Ｃ２０ハロゲン化アルキル；直鎖又は分枝Ｃ２〜Ｃ２０オレフィン；又は、直鎖又は分枝Ｃ１〜Ｃ２０アルコール；又はＣ３〜Ｃ５ハロゲン化アルキル置換基、Ｃ４〜Ｃ５オレフィン置換基又はＣ３〜Ｃ５アルコール置換基を含み、前記置換基は、分子内アルキル化反応が起きて縮合環が形成されるよう芳香族基質の環炭素原子に結合している。